【手続補正書】
【提出日】平成24年3月8日(2012.3.8)
【手続補正１】
【補正対象書類名】明細書
【補正対象項目名】全文
【補正方法】変更
【補正の内容】
【発明の詳細な説明】
【発明の名称】ハーフリム眼鏡におけるテグス端部の固定機構
【技術分野】
【０００１】
本発明は、ハーフリム眼鏡のレンズをハーフリムに固定するテグスの固定機構に関し、特に長期にわたってテグスが緩むことによって切断することを防止できるハーフリム眼鏡におけるテグス端部の固定機構に関するものである。
【背景技術】
【０００２】
従来、ハーフリム眼鏡においてレンズを固定するにはテグスを用いており、レンズをテグスでハーフリムのレンズ取付け部に押圧することで固定している。この場合、ハーフリムのレンズ取付け部の両端部にそれぞれレンズの周縁部方向に２つの孔を穿設し、この両孔に折り込むようにテグスの両端部を通してテグスがずれないようにして固定することで連結していた。
【０００３】
上記のような従来のハーフリムにおけるテグスの固定機構にあっては、固定している間にハーフリムに設けた孔内に位置するテグスの部分が緩むことによってハーフリムとの間で擦れて切断して破損する場合があり、このことはハーフリムが樹脂製よりも金属製の場合が頻度が多くなっていた。
【先行技術文献】
【特許文献】
【０００４】
【特許文献１】特開平１０−１０４７５号公報
【発明の概要】
【発明が解決しようとする課題】
【０００５】
本発明は、上記のような従来の問題に鑑みなされたものであって、長時間にわたってハーフリムに連結したテグスが緩み破断することなく確実にレンズを固定することができるハーフリム眼鏡におけるテグス端部の固定機構を提供することを目的とする。
【課題を解決するための手段】
【０００６】
上記のような課題を解決するために、本発明は、以下のような手段を採用している。
すなわち、請求項１に係る発明は、レンズの周縁部の一部を保持するハーフリムのレンズ取付け部にテグスで前記レンズを押し付けて前記テグスの両端部のそれぞれを前記レンズ取付け部で前記ハーフリムに固定するハーフリム眼鏡におけるテグス端部の固定機構において、前記ハーフリムの前記レンズ取付け部で前記レンズと反対側にそれぞれ前記テグスを通す挿通孔を備えた窪み部が設けられ、該窪み部には前記挿通孔に通された前記テグスの端部を保持する保持部材が配設されていることを特徴とするハーフリム眼鏡におけるテグス端部の固定機構としている。
【０００７】
請求項１に係る発明のハーフリム眼鏡におけるテグス端部の固定機構によれば、ハーフリムとテグスとの間でレンズを挟持して固定することが可能となり、しかもハーフリムと保持部材とは別体で相対変位可能であり、テグスの端部はハーフリムに直接接触することなく保持部材によって保持されるためテグスが擦れて切断されることがない。
【０００８】
請求項２に係る発明は、請求項１において、保持部材の前記テグスを挿通する孔が１または２個設けられていることを特徴とするハーフリム眼鏡におけるテグス端部の固定機構としている。
【０００９】
請求項２に係る発明のハーフリム眼鏡におけるテグス端部の固定機構によれば、請求項１の効果に加え、孔が２個の場合には孔の摩擦抵抗でしっかりとテグスを保持でき、孔が１個の場合にはテグスの端部に拡大部を容易に作り、容易に固定することができ、また、テグスが緩むことなく、単に２個の孔を通すよりは抜けの恐れもない。
【発明の効果】
【００１０】
以上、説明したように、本発明の請求項１に記載のハーフリム眼鏡におけるテグス端部の固定機構によれば、ハーフリムに設けた窪み部内に保持部材が配設され、保持部材とハーフリムとがほんのわずかではあるが相対変位可能であり、この保持部材によってテグスの端部が保持されているので、テグスがハーフリムと直接接触することなく保持部材と接触することになる。このためテグスがハーフリムと擦れたりすることがなく、長期間にわたって破損する恐れがないものである。
【図面の簡単な説明】
【００１１】
【図１】両端にテンプルが連結されたハーフリムとレンズとテグスとを分解したハーフリム眼鏡の分解斜視図である。
【図２】図１のハーフリムとテンプルとレンズとテグスと保持部材との部分拡大図である。
【図３】ハーフリムの一端部におけるテグスとの連結状態を示す断面図である。
【図４】ハーフリムの他端部におけるテグスとの連結状態を示す断面図である。
【発明を実施するための形態】
【００１２】
以下、本発明の良好な実施例を示す図面を参照しながら本発明を説明する。
図１〜図４には、本発明によるハーフリム眼鏡におけるテグス端部の固定機構の実施の形態が示されている。図１は両端にテンプルが連結されたハーフリムとレンズとテグスとを分解したハーフリム眼鏡の分解斜視図、図２は図１のハーフリムとテンプルとレンズとテグスとハーフリムに設けた窪み部内に位置する保持部材とを分解した部分拡大図、図３はハーフリムの一方のレンズ取付け部におけるテグスとの連結状態を示す断面図、図４はハーフリムの他方のレンズ取付け部におけるテグスとの連結状態を示す断面図である。
【００１３】
図にはハーフリム眼鏡におけるテグス端部の固定機構が示されており、レンズ２０の周縁部の一部を保持するハーフリム１のレンズ取付け部２にテグス６でレンズ２０を押し付けてテグス６の両端部のそれぞれをレンズ取付け部である支持部２ａ、２ａでハーフリム１に固定する構造としている。
具体的には、図１に示すように、ハーフリム眼鏡は、両レンズ２０、２０の周縁部の一部である上半部を保持するレンズ取付け部２、２を有するハーフリム１には中央部に装用者の鼻と接触するノーズパッド３、３が設けられ、また、両端にはヨロイ４、４を介してテンプル５、５がそれぞれ連結されている。
そして、レンズ２０の下半部にテグス６を位置させてレンズ２０をレンズ取付け部２に押圧するようにしている。ハーフリム１の各レンズ取付け部２、２の支持部２ａ、２ａとの間でレンズ２０、２０を挟持するテグス６、６は各レンズ２０、２０の両側の位置でレンズ取付け部２、２の支持部２ａ、２ａに取り付けられている。
【００１４】
図２に示すように、レンズ２０はハーフリム１のレンズ取付け部２に合致する形状に加工され、ハーフリム１の中央にはレンズ２０のほぼ水平位置にノーズパッド３が取り付けられている。また、ハーフリムの両側端部にはヨロイ４を介してテンプル５が取り付けられている。
そして、ハーフリム１のレンズ取付け部２でレンズ２０と反対側にそれぞれテグス６を通す挿通孔２ｃを備えた窪み部７、１０が設けられている（図３、図４参照）。この窪み部７、１０内にはそれぞれ着脱可能な保持部材８、１１が配設されている。
【００１５】
保持部材８はこの例では円盤状を呈しており、中央にテグス６を通す孔８ａが設けられている。一方、保持部材１１はレンズ２０の周縁方向を向く長孔状の窪み部１０内に配設可能な直方体を呈しており、レンズ２０の周縁方向を向く２つの孔１１ａ、１１ａが設けられている。すなわち、保持部材８、１１にはテグス６を挿通する孔が１または２個設けられており、テグス６はこの保持部材８、１１の孔８ａ、１１ａ、１１ａに挿通可能となっている。
【００１６】
上記のようになっているハーフリム１の支持部２ａとレンズ２０とテグス６と環状の保持部材８との関係は図３に示すようになっている。
支持部２ａに設けた窪み部７内に嵌め込み配設可能な円盤状の保持部材８の孔８ａは段付きになっており、この孔８ａの大径部にはテグス６の端部に設けた拡大部６ａが位置して保持部材８から抜けないようになっている。また、保持部材８が挿入されるハーフリム１の支持部２ａには保持部材８の孔８ａと一致するテグス６の挿通孔２ｃが設けられている。
【００１７】
また、ハーフリム１の支持部２ａとレンズ２０とテグス６と横長の保持部材１１との関係は図４に示すようになっていて、横長の保持部材１１にはレンズ２０の周縁方向に沿う２つの孔１１ａ、１１ａが穿設されている。この保持部材１１を嵌め込み配設できる窪み部１０が支持部２ａに設けられ、この支持部２ａに保持部材１１の孔１１ａ、１１ａと合致するテグス６の挿通孔２ｃが２つ穿設されている。
【００１８】
上記のように形成されているハーフリム眼鏡におけるテグス端部の固定機構にあっては、まず、環状の保持部材８の孔８ａにテグス６を挿通した状態でテグス６の端部を拡大部６ａに形成する。この場合、テグス６は樹脂製なので端部に熱を加えることで容易に大径にして拡大部６ａを形成することができ、保持部材８から抜け出ることを防止することができる。
【００１９】
この後、窪み部７に嵌め込まれた保持部材８から挿通孔２ｃを通って引き出されたテグス６を対向する支持部２ａに設けた２か所の挿通孔２ｃ、２ｃ及び保持部材１１の２か所の孔１１ａ、１１ａに交互に折り返すように通す。さらに、レンズ取付け部２にレンズ２０を押し付けて保持した状態を想定してレンズ２０の下半部に合致するテグス６の長さを割り出し、レンズ取付け部２側に引き出されたテグス６の端部を切断する。そして、最後にテグス６を引っ張ってハーフリム１のレンズ取付け部２との間にレンズ２０を嵌め込んでハーフリム１にレンズ２０を取付けて完成する。
【００２０】
なお、前記実施の形態においてはハーフリムの下側にレンズを取付けた場合について説明したが、上側であってもよく、要はテグスを直接ハーフリムの孔に挿通するのではなく、保持部材を設けてこの保持部材を窪み部に嵌め込み配設し、テグスを保持部材によって保持するようにすれば良いものである。
【符号の説明】
【００２１】
１  ハーフリム
２  レンズ取付け部
２ａ  支持部
２ｃ  挿通孔
３  ノーズパッド
４  ヨロイ
５  テンプル
６  テグス
６ａ  拡大部
７、１０  窪み部
８、１１  保持部材
８ａ、１１ａ  孔
２０  レンズ
【手続補正２】
【補正対象書類名】特許請求の範囲
【補正対象項目名】全文
【補正方法】変更
【補正の内容】
【特許請求の範囲】
【請求項１】
レンズの周縁部の一部を保持するハーフリムのレンズ取付け部にテグスで前記レンズを押し付けて前記テグスの両端部のそれぞれを前記レンズ取付け部で前記ハーフリムに固定するハーフリム眼鏡におけるテグス端部の固定機構において、
前記ハーフリムの前記レンズ取付け部で前記レンズと反対側にそれぞれ前記テグスを通す挿通孔を備えた窪み部が設けられ、該窪み部には前記挿通孔に通された前記テグスの端部を保持する保持部材が配設されていることを特徴とするハーフリム眼鏡におけるテグス端部の固定機構。
【請求項２】
請求項１において、前記保持部材には前記テグスを挿通する孔が１または２個設けられていることを特徴とするハーフリム眼鏡におけるテグス端部の固定機構。
【手続補正３】
【補正対象書類名】図面
【補正対象項目名】図３
【補正方法】変更
【補正の内容】
【図３】
2010210921.tif 000001